(57)【要約】【課題】クリーニングブレードなどの清掃部材の異物除去を良好に行なうことができる画像形成装置を提供する。【解決手段】トナー像を中間転写ベルト上に形成し（Ｓ１５１）、センサでそのトナー像の濃度を読取る（Ｓ１５５）。正常にトナー像が形成できることが確認されると（Ｓ１５７でＹＥＳ）、トナー像を新たに中間転写ベルトに形成し（Ｓ１５９）、その像の後端が中間転写ベルトクリーニングブレードの位置を通過するのを待つ（Ｓ１６１）。その後、中間転写ベルトの逆転制御を実施する（Ｓ１６３）。これにより、クリーニングブレードの異物除去を行なう。【選択図】図３
2008064776.tif 000002
【特許請求の範囲】
【請求項１】
像担持体上に形成されたトナー像を中間転写体上に１次転写し、前記中間転写体上に転写されたトナー像を記録シート上に２次転写する画像形成装置であって、
前記中間転写体上に清掃部材を圧接させて前記中間転写体を清掃する中間転写体清掃手段と、
前記中間転写体上のトナー像の濃度を測定する濃度測定手段と、
前記中間転写体上にトナー像を形成し、そのトナー像が前記清掃部材の位置に達した後に、前記中間転写体を逆転させることで前記清掃部材の異物除去を行なう異物除去手段とを備え、
前記異物除去手段は、前記中間転写体上のトナー像の濃度を前記濃度測定手段で測定し、その濃度が一定値以上であることを検出した場合にのみ中間転写体の逆転を行なう、画像形成装置。
【請求項２】
前記濃度測定手段が測定するトナー像は、前記清掃部材の異物除去に用いるトナー像とは異なる、請求項１に記載の画像形成装置。
【請求項３】
前記濃度測定手段が測定するトナー像は、前記清掃部材の異物除去に用いるトナー像と同一である、請求項１に記載の画像形成装置。
【請求項４】
複数色のトナー像を前記中間転写体上に形成することが可能であり、
各色のトナーの残量を検出する検出手段をさらに備え、
前記異物除去手段は、残量が多い色のトナーでトナー像を形成する、請求項１から３のいずれかに記載の画像形成装置。
【請求項５】
複数色のトナー像を前記中間転写体上に形成することが可能であり、
各色のトナーの残量を検出する検出手段をさらに備え、
前記異物除去手段は、残量が一定量以上の色のトナーでトナー像を形成する、請求項１から４のいずれかに記載の画像形成装置。
【請求項６】
複数色のトナー像を前記中間転写体上に形成することと、モノクロのトナー像を前記中間転写体上に形成することとが可能であり、
前記異物除去手段は、モノクロのモードの場合は黒のトナーでトナー像を形成する、請求項１から５のいずれかに記載の画像形成装置。
【請求項７】
複数色のトナー像を前記中間転写体上に形成することが可能であり、
前記濃度測定手段で測定したトナー像の濃度が一定値に満たない場合は、別の色のトナーでトナー像の形成を再実施する、請求項１から６のいずれかに記載の画像形成装置。
【請求項８】
いずれの色でトナー像の形成を実施しても、前記濃度測定手段での測定結果が一定値に満たない場合は、印字を禁止する、請求項４から７のいずれかに記載の画像形成装置。
【請求項９】
現像部と、
前記現像部により作成されたトナー像を保持する転写体と、
前記転写体に、清掃部材を圧接させて前記転写体を清掃する清掃手段と、
前記転写体上のトナー像の濃度を測定する測定手段と、
前記測定手段による測定濃度が所定値以上であるときに、前記転写体を画像形成時とは逆の方向に回転させる異物除去手段とを備えた、画像形成装置。
【請求項１０】
像担持体上に形成されたトナー像を中間転写体上に１次転写し、前記中間転写体上に転写されたトナー像を記録シート上に２次転写する画像形成装置であって、
前記中間転写体上に清掃部材を圧接させて前記中間転写体を清掃する中間転写体清掃手段と、
複数の色に対応した複数の現像部と、
前記複数の現像部それぞれのトナーエンプティを検出する検出手段と、
前記中間転写体上にトナー像を形成し、そのトナー像が前記清掃部材の位置に達した後に、前記中間転写体を逆転させる異物除去手段とを備え、
前記異物除去手段は、トナーエンプティであると検出されていない色のトナーを使用してトナー像を形成する、画像形成装置。
【請求項１１】
像担持体上に形成されたトナー像を中間転写体上に１次転写し、前記中間転写体上に転写されたトナー像を記録シート上に２次転写する画像形成装置の制御方法であって、
前記中間転写体上に清掃部材を圧接させて前記中間転写体を清掃する中間転写体清掃ステップと、
前記中間転写体上のトナー像の濃度を測定する濃度測定ステップと、
前記中間転写体上にトナー像を形成し、そのトナー像が前記清掃部材の位置に達した後に、前記中間転写体を逆転させることで前記清掃部材の異物除去を行なう異物除去ステップとを備え、
前記異物除去ステップは、前記中間転写体上のトナー像の濃度を前記濃度測定ステップで測定し、その濃度が一定値以上であることを検出した場合にのみ中間転写体の逆転を行なう、画像形成装置の制御方法。
【請求項１２】
複数の色に対応した複数の現像部を備え、像担持体上に形成されたトナー像を中間転写体上に１次転写し、前記中間転写体上に転写されたトナー像を記録シート上に２次転写する画像形成装置の制御方法であって、
前記中間転写体上に清掃部材を圧接させて前記中間転写体を清掃する中間転写体清掃ステップと、
前記複数の現像部それぞれのトナーエンプティを検出する検出ステップと、
前記中間転写体上にトナー像を形成し、そのトナー像が前記清掃部材の位置に達した後に、前記中間転写体を逆転させる異物除去ステップとを備え、
前記異物除去ステップは、トナーエンプティであると検出されていない色のトナーを使用してトナー像を形成する、画像形成装置の制御方法。
【発明の詳細な説明】
【技術分野】
【０００１】
この発明は画像形成装置、および画像形成装置の制御方法に関し、特に転写体の清掃を行なうことができる画像形成装置、および画像形成装置の制御方法に関する。
【背景技術】
【０００２】
中間転写ベルトに圧接されたクリーニングブレードで中間転写ベルト上を清掃する画像形成装置（フルカラープリンタ、ＭＦＰ（Multi Function Peripheral）、複写機など）では、長期間の使用により、クリーニングブレードの先端に紙粉などの異物が付着・累積する。これが原因でクリーニングの性能が低下し、クリーニング不良が発生することがある。クリーニングブレードにたまった紙粉などの異物を除去するために、中間転写ベルトの逆転を実施することが提案されている。
【０００３】
しかしながらこの逆転により、クリーニングブレードや中間転写ベルトに捲れが発生するプリンタが存在する。クリーニングブレードの設置場所などによって、中間転写ベルトの逆転時の中間転写ベルトとクリーニングブレードの先端との接点部分の摩擦力が大きくなるためである。
【０００４】
そのようなプリンタでは、摩擦力を低下させるために、クリーニングブレードと中間転写ベルトとが接する部分へ潤滑剤としてトナーを供給した後で逆転を実施する対策を行なっている。具体的には、まずトナー像を形成し、それをクリーニングブレードに掻き取らせてクリーニングブレード先端にトナーを付着させた後に、中間転写ベルトの逆転を実施する。クリーニングブレード先端に付着したトナーは、中間転写ベルトとクリーニングブレードの先端との接点部分の潤滑剤の役目を果たし、摩擦力が低下する。これにより、中間転写ベルトやクリーニングブレードの捲れが防止される。
【０００５】
図１７は、従来のフルカラープリンタの中間転写ベルトクリーニングブレードの異物除去処理を示すフローチャートである。
【０００６】
図を参照して、Ｙ（イエロー）のトナー像を中間転写ベルトに形成する（Ｓ９０１）。Ｙのトナー像の後端がベルトクリーナを通過するまで中間転写ベルトを駆動する（Ｓ９０３）。ステップＳ９０３の処理により、トナー像を中間転写ベルトクリーニングブレードで掻き取った後、中間転写ベルトを逆転させることで、中間転写ベルトクリーニングブレードに付着した紙粉などの異物を除去する（Ｓ９０５）。
【０００７】
また、コストダウンを目的として、トナーエンプティ検出センサを用いずに、画像データのドット数からトナーエンプティの検出を行うフルカラープリンタが存在する。このドット数による検出は、センサを用いた場合よりも精度が劣り、トナーエンプティを検出してもトナーが残る場合がある。これは、トナーエンプティが検出されるまでは画像かすれが発生しないように、最悪のケースを考慮した設計を行っているからである。トナーエンプティ検出時でもトナーが残っている状態が起こりうるため、ユーザがトナーを使い切ることができるように、トナーエンプティを検出してもプリント動作が可能とされている。
【０００８】
下記特許文献１は、クリーニングを実施するときに、クリーニングブレードよりも大きな幅のトナー像を形成することで、クリーニングブレードの捲れを防止する画像形成装置を開示している。
【０００９】
下記特許文献２は、画像形成後に中間転写ベルトを逆転し、クリーニングブレードの先端に付着した紙粉等の異物を除去する画像形成装置を開示している。
【特許文献１】特開２００４−２７２１１８号公報
【特許文献２】特開平１０−１０９３９号公報
【発明の開示】
【発明が解決しようとする課題】
【００１０】
トナーエンプティ検出後もプリント可能なフルカラープリンタでは、クリーニングブレードにトナーを供給した後で中間転写ベルトを逆転させようとしても、実際にはトナー像が形成されていないケースが起こりうる。この場合、クリーニングブレードや中間転写ベルトの捲れを引き起こしてしまう。
【００１１】
また、トナー残量が無かったり、現像器の故障などといった要因で、トナー像形成の動作を実施しても実際にはトナー像が形成されていない場合も考えられる。この場合も、中間転写ベルトやクリーニングブレードの捲れを引き起こす恐れがある。
【００１２】
この発明は上記問題点を解決するためになされたものであり、クリーニングブレードなどの清掃部材の異物除去を良好に行なうことができる画像形成装置、および画像形成装置の制御方法を提供することを目的としている。
【課題を解決するための手段】
【００１３】
上記目的を達成するためこの発明のある局面に従うと、像担持体上に形成されたトナー像を中間転写体上に１次転写し、中間転写体上に転写されたトナー像を記録シート上に２次転写する画像形成装置は、中間転写体上に清掃部材を圧接させて中間転写体を清掃する中間転写体清掃手段と、中間転写体上のトナー像の濃度を測定する濃度測定手段と、中間転写体上にトナー像を形成し、そのトナー像が清掃部材の位置に達した後に、中間転写体を逆転させることで清掃部材の異物除去を行なう異物除去手段とを備え、異物除去手段は、中間転写体上のトナー像の濃度を濃度測定手段で測定し、その濃度が一定値以上であることを検出した場合にのみ中間転写体の逆転を行なう。
【００１４】
好ましくは濃度測定手段が測定するトナー像は、清掃部材の異物除去に用いるトナー像とは異なる。
【００１５】
好ましくは濃度測定手段が測定するトナー像は、清掃部材の異物除去に用いるトナー像と同一である。
【００１６】
好ましくは画像形成装置は、複数色のトナー像を中間転写体上に形成することが可能であり、各色のトナーの残量を検出する検出手段をさらに備え、異物除去手段は、残量が多い色のトナーでトナー像を形成する。
【００１７】
好ましくは画像形成装置は、複数色のトナー像を中間転写体上に形成することが可能であり、各色のトナーの残量を検出する検出手段をさらに備え、異物除去手段は、残量が一定量以上の色のトナーでトナー像を形成する。
【００１８】
好ましくは画像形成装置は、複数色のトナー像を中間転写体上に形成することと、モノクロのトナー像を中間転写体上に形成することとが可能であり、異物除去手段は、モノクロのモードの場合は黒のトナーでトナー像を形成する。
【００１９】
好ましくは画像形成装置は、複数色のトナー像を中間転写体上に形成することが可能であり、濃度測定手段で測定したトナー像の濃度が一定値に満たない場合は、別の色のトナーでトナー像の形成を再実施する。
【００２０】
好ましくは画像形成装置は、いずれの色でトナー像の形成を実施しても、濃度測定手段での測定結果が一定値に満たない場合は、印字を禁止する。
【００２１】
この発明の他の局面に従うと画像形成装置は、現像部と、現像部により作成されたトナー像を保持する転写体と、転写体に、清掃部材を圧接させて転写体を清掃する清掃手段と、転写体上のトナー像の濃度を測定する測定手段と、測定手段による測定濃度が所定値以上であるときに、転写体を画像形成時とは逆の方向に回転させる異物除去手段とを備える。
【００２２】
この発明のさらに他の局面に従うと画像形成装置は、像担持体上に形成されたトナー像を中間転写体上に１次転写し、中間転写体上に転写されたトナー像を記録シート上に２次転写する画像形成装置であって、中間転写体上に清掃部材を圧接させて中間転写体を清掃する中間転写体清掃手段と、複数の色に対応した複数の現像部と、複数の現像部それぞれのトナーエンプティを検出する検出手段と、中間転写体上にトナー像を形成し、そのトナー像が清掃部材の位置に達した後に、中間転写体を逆転させる異物除去手段とを備え、異物除去手段は、トナーエンプティであると検出されていない色のトナーを使用してトナー像を形成する。
【００２３】
この発明のさらに他の局面に従うと画像形成装置の制御方法は、像担持体上に形成されたトナー像を中間転写体上に１次転写し、中間転写体上に転写されたトナー像を記録シート上に２次転写する画像形成装置の制御方法であって、中間転写体上に清掃部材を圧接させて中間転写体を清掃する中間転写体清掃ステップと、中間転写体上のトナー像の濃度を測定する濃度測定ステップと、中間転写体上にトナー像を形成し、そのトナー像が清掃部材の位置に達した後に、中間転写体を逆転させることで清掃部材の異物除去を行なう異物除去ステップとを備え、異物除去ステップは、中間転写体上のトナー像の濃度を濃度測定ステップで測定し、その濃度が一定値以上であることを検出した場合にのみ中間転写体の逆転を行なう。
【００２４】
この発明のさらに他の局面に従うと画像形成装置の制御方法は、複数の色に対応した複数の現像部を備え、像担持体上に形成されたトナー像を中間転写体上に１次転写し、中間転写体上に転写されたトナー像を記録シート上に２次転写する画像形成装置の制御方法であって、中間転写体上に清掃部材を圧接させて中間転写体を清掃する中間転写体清掃ステップと、複数の現像部それぞれのトナーエンプティを検出する検出ステップと、中間転写体上にトナー像を形成し、そのトナー像が清掃部材の位置に達した後に、中間転写体を逆転させる異物除去ステップとを備え、異物除去ステップは、トナーエンプティであると検出されていない色のトナーを使用してトナー像を形成する。
【発明の効果】
【００２５】
上記発明に従うと、清掃部材の異物除去を良好に行なうことができる画像形成装置、および画像形成装置の制御方法を提供することが可能となる。
【発明を実施するための最良の形態】
【００２６】
以下、本発明の実施の形態における画像形成装置について説明する。ここでは具体例として画像形成装置は、フルカラー印字可能な電子写真複写機、電子写真プリンタ等であるものとする。
【００２７】
［第１の実施の形態］
第１の実施の形態におけるプリンタでは、中間転写ベルト上にトナー像が形成されたかどうかを濃度センサで確認し、トナー像の形成が確認できたときのみ中間転写ベルトの逆転を実施することとしている。センサとしては、画像形成装置で濃度の安定を目的として一般的に搭載されている濃度センサを用いる。すなわち、この濃度センサにより、中間転写ベルト上の捲れ防止用のトナー像の濃度を読取り、その濃度が一定値以上の場合にのみクリーニングブレード異物除去のための中間転写ベルトの逆転を実施する。
【００２８】
このような手法によると、確実に中間転写ベルトにトナー像が形成されている場合にのみ、中間転写ベルトの逆転を実施することが可能となる。これにより、中間転写ベルトやクリーニングブレードの捲れが防止される。
【００２９】
図１は、第１の実施の形態におけるタンデムカラープリンタの中央断面図である。
先ず、作像部の構成を説明する。タンデムカラープリンタ１には、ＫＣＭＹ（ブラック、シアン、マゼンタ、イエロー）のそれぞれに対応するカートリッジ１８ａ〜１８ｄが設けられている。カートリッジ１８ａ〜１８ｄのそれぞれには、感光体３を帯電する帯電部５、画像パターンを露光する露光部６、トナーを現像する現像部４、および転写残トナーを感光体３から分離する感光体クリーニングブレード７が内蔵されている。
【００３０】
タンデムカラープリンタは、感光体３上に形成された４色のトナー像を重ねて画像形成する中間転写ベルト２と、中間転写ベルト２上に形成されたトナー像を記録媒体上に転写する転写ローラ１３と、中間転写ベルト２に圧接し、転写残トナーを中間転写ベルト２から分離する中間転写ベルトクリーニングブレード（清掃部材）８と、中間転写ベルト２上に形成されたトナー像の濃度を測定するＩＤＣセンサ１９と、ＩＤＣセンサ１９の出力などに基づいて、中間転写ベルト２などの動作を制御する制御部５１とを備えている。
【００３１】
なお、ＩＤＣセンサ１９は、図１において手前にあるＩＤＣセンサ１９ｂと、奥にあるＩＤＣセンサ１９ａとから構成されている（図４参照）。
【００３２】
ＩＤＣセンサ１９は反射型の濃度センサであり、画質を安定させるために使用される。中間転写ベルト２上に画質を安定させるためのパターンを形成し、それをＩＤＣセンサ１９で読取る。その読取り値を元に、制御部５１は適正な現像のパラメータを決定する。
【００３３】
像担持体である感光体３上に形成されたトナー像は、中間転写体である中間転写ベルト２上に１次転写される。中間転写ベルト２上に転写されたトナー像は、記録シート上に２次転写される。
【００３４】
図２は、タンデムカラープリンタが実行する、中間転写ベルトクリーニングブレード異物除去を実施するか否かの判定処理を示すフローチャートである。
【００３５】
画像のプリントごとに（Ｓ１０１）、印字枚数をカウンタでカウントする（Ｓ１０３）。カウント枚数が１００枚に到達したときに、中間転写ベルトクリーニングブレードの異物除去を実施する（Ｓ１０７）。異物除去を実施すると、カウンタをリセットする（Ｓ１０９）。
【００３６】
図３は、図２の中間転写ベルトクリーニングブレード異物除去処理（Ｓ１０７）の詳細を示すフローチャートである。
【００３７】
カートリッジ１８ｄにより、Ｙのトナー像を中間転写ベルト２上に形成し（Ｓ１５１）、ＩＤＣセンサ１９の位置までＹトナー像を移動させ（Ｓ１５３）、ＩＤＣセンサ１９でそのトナー像を読取る（Ｓ１５５）。
【００３８】
図４は、図３のステップＳ１５１で形成されるトナー像の具体例を示す図である。
本実施の形態においては、中間転写ベルトの逆転を行なう前には、逆転用のトナー像とは別の濃度検出用のトナー像を形成する。濃度検出用のトナー像は、図４に示すような濃度が確認できる程度のサイズを有する。具体的にはここでは幅１０ｍｍ、長さ５ｍｍの像とし、ＩＤＣセンサ（左）１９ａで読取り可能な位置に形成する。
【００３９】
図５は、ＩＤＣセンサ１９の出力を示す図である。
ＩＤＣセンサ１９からの出力値（制御部５１のＩＤＣセンサからの入力値）は、トナー像でない部分を読取ったときは反射光が多いため高い値を示す。逆にトナー像部分では反射光が少なくなるため低い値を示す。
【００４０】
図５は、図４のＹのトナー像が正常な濃度で形成された場合のＩＤＣセンサのデータを示している。中間転写ベルト２の移動に伴い、中間転写ベルト上の濃度検出位置が移動する。トナー像が形成された５ｍｍの部分では、ＩＤＣセンサ入力値が低く基準電圧２．５Ｖを下回る。
【００４１】
図３のステップＳ１５７では、検出濃度として使用する濃度検出位置でのＹトナー像のＩＤＣセンサによる読取り値が、基準電圧２．５Ｖ以下であるかを判定する。ＹＥＳであれば、Ｙで正常にトナー像が形成できることが確認されるので、Ｙで中間転写ベルト逆転用のトナー像を新たに中間転写ベルト２に形成し（Ｓ１５９）、その像の後端が中間転写ベルトクリーニングブレード８の位置を通過するのを待つ（Ｓ１６１）。その後、中間転写ベルト２の逆転制御を実施する（Ｓ１６３）。
【００４２】
図６は、図３のステップＳ１５９で形成されるトナー像の具体例を示す図である。
この逆転時に形成するトナー像は、中間転写ベルト２の幅方向一面に形成される。これにより、中間転写ベルト２の幅方向に当接する中間転写ベルトクリーニングブレード８と、中間転写ベルト２との間の摩擦力を小さくすることができる。
【００４３】
図７は、Ｙのトナー像の濃度が正常でない場合のＩＤＣセンサのデータ示す図であり、図５に対応する図である。
【００４４】
トナーが十分に供給されていない場合などには、濃度検出位置でもＩＤＣセンサ入力値は基準電圧２．５Ｖを超え、ベルト裸面の４．５Ｖに近い値を検出する。この場合は、中間転写ベルト２に正常にトナーを供給できないため、図３のステップＳ１５７でＮＯと判断し、中間転写ベルトの逆転を実施しない。
【００４５】
［第２の実施の形態］
第２の実施の形態におけるプリンタの構成は、第１の実施の形態におけるそれと同じであるためここでの説明を繰返さない。
【００４６】
本実施の形態においては、濃度検出用のトナー像を逆転用のトナー像と共用することとしている。
【００４７】
図８は、第２の実施の形態における中間転写ベルトクリーニングブレード異物除去処理（Ｓ１０７）の詳細を示すフローチャートである。
【００４８】
ステップＳ２５１において、従来技術と同様に、中間転写ベルト２上にＹで中間転写ベルト逆転用のトナー像（図６）を形成する。ＩＤＣセンサ１９の位置までＹトナー像を移動させ（Ｓ２５３）、ＩＤＣセンサ１９でそのトナー像を読取る（Ｓ２５５）。ＩＤＣセンサでの読取り値は、図５、図７で示される第１の実施形態における濃度確認用のトナー像の読取りデータと同様である。
【００４９】
その読取ったトナー像の濃度が正常な場合は（Ｓ２５７でＹＥＳ）、トナー像の後端が中間転写ベルトクリーニングブレード８の位置を通過するのを待つ（Ｓ２６１）。その後、中間転写ベルト２の逆転制御を実施する（Ｓ２６３）。一方、濃度が異常な場合は（Ｓ２５７でＮＯ）、逆転動作を実施しない。
【００５０】
［第３の実施の形態］
第３の実施の形態におけるプリンタの構成は、第１の実施の形態におけるそれと同じであるためここでの説明を繰返さない。
【００５１】
本実施の形態において、トナー像を形成し、中間転写ベルトを逆転して、中間転写ベルトクリーニングブレードの異物を除去する制御は、第１の実施の形態と同様である。第３の実施の形態では、そのときトナー像の形成に使用する色をトナーの残量の最も多いものに決定する。
【００５２】
図９は、第３の実施の形態における中間転写ベルト逆転時に作成するトナー像の色決定処理を示すフローチャートである。
【００５３】
図を参照して、ステップＳ３０１でＹトナーの残量がＭトナーの残量以上かが判定される。ＹＥＳであれば、ステップＳ３０３でＹトナー残量がＣトナー残量以上かが判定される。ステップＳ３０３でＹＥＳであれば、ステップＳ３０５でＹトナー残量がＫトナー残量以上かが判定される。
【００５４】
ステップＳ３０５でＹＥＳであれば、Ｙトナーの残量が多いと判定し、ステップＳ３０７でトナー像の色をＹに決定する。
【００５５】
ステップＳ３０１でＮＯであれば、ステップＳ３０９でＭトナー残量がＣトナー残量以上かが判定される。ステップＳ３０９でＹＥＳであれば、ステップＳ３１１でＭトナー残量がＫトナー残量以上かが判定される。
【００５６】
ステップＳ３１１でＹＥＳであれば、Ｍトナーの残量が多いと判定し、ステップＳ３１３でトナー像の色をＭに決定する。
【００５７】
ステップＳ３０３でＮＯ、またはステップＳ３０９でＮＯであれば、ステップＳ３１７で、Ｃトナー残量がＫトナー残量以上かが判定される。ステップＳ３１７でＹＥＳであれば、Ｃトナーの残量が多いと判定し、ステップＳ３１９でトナー像の色をＣに決定する。
【００５８】
ステップＳ３０５、Ｓ３１１、またはＳ３１７のいずれかでＮＯであれば、Ｋトナーの残量が多いと判定し、ステップＳ３１５でトナー像の色をＫに決定する。
【００５９】
このようにすることで、トナーの残量が少ないことによるトナー像のかすれが発生する確率を少なくすることができる。
【００６０】
［第４の実施の形態］
第４の実施の形態におけるプリンタの構成は、第１の実施の形態におけるそれと同じであるためここでの説明を繰返さない。
【００６１】
本実施の形態において、どの色でトナー像を形成するかを決定する処理以外については、第３の実施の形態と同じである。
【００６２】
図１０は、第４の実施の形態におけるトナー像を形成するときの色の決定手法を示すフローチャートである。
【００６３】
図を参照して、ステップＳ４０１においてＫトナーの残量が所定値α以上かが判定される。ＹＥＳであれば、ステップＳ４１１において用いるトナー像の色をＫに決定する。
【００６４】
ステップＳ４０１でＮＯであれば、ステップＳ４０３においてＣトナーの残量が所定値α以上かが判定される。ＹＥＳであれば、ステップＳ４１３において用いるトナー像の色をＣに決定する。
【００６５】
ステップＳ４０３でＮＯであれば、ステップＳ４０５においてＭトナーの残量が所定値α以上かが判定される。ＹＥＳであれば、ステップＳ４１５において用いるトナー像の色をＭに決定する。
【００６６】
ステップＳ４０５でＮＯであれば、ステップＳ４０７においてＹトナーの残量が所定値α以上かが判定される。ＹＥＳであれば、ステップＳ４１７において用いるトナー像の色をＹに決定する。
【００６７】
ステップＳ４０７でＮＯであれば、ステップＳ４０９で図９に示される第３の実施の形態における処理を実施し、用いるトナーの色を決定する。
【００６８】
図１１は、中間転写ベルトクリーニングブレードとカートリッジの位置関係を示す図である。
【００６９】
図に示されるように、各色カートリッジ１８ａ〜１８ｄと、中間転写ベルトクリーニングブレード８との間の距離には差があり、Ｙ用のカートリッジ１８ｄと中間転写ベルトクリーニングブレード８との間の距離は最も長く、Ｍ、Ｃ、Ｋの順に距離は短くなる。
【００７０】
図１０の処理によると、トナー残量が一定以上の色のカートリッジの中から、中間転写ベルトクリーニングブレードに最も近い位置に配置されたカートリッジの色が使用される。
【００７１】
これにより、第３の実施の形態と同様に、トナーの残量が少ないことによるトナー像のかすれが発生する確率を少なくする効果を得ることができる。また、中間転写ベルトクリーニングブレードの位置に近い位置にあるカートリッジの色でトナー像を形成するため、トナー像形成からトナー像を中間転写ベルトクリーニングブレードで掻き取らせるまでの時間を短縮することもできる。つまり、中間転写ベルトクリーニングブレードの異物を除去する制御にかかる時間を可能な限り短縮することができる。
【００７２】
［第５の実施の形態］
第５の実施の形態におけるプリンタの基本的な構成は、第１の実施の形態におけるそれと同じであるためここでの説明を繰返さない。
【００７３】
本実施の形態において、プリンタはフルカラー印字とモノクロ印字の２つの印字モードを持つ。
【００７４】
図１２は、モノクロ印字モードにおけるカートリッジ１８ａ〜１８ｄと中間転写ベルト２との位置関係を示す図である。
【００７５】
図に示されるように、モノクロ印字モードのときは、ＹＭＣのカートリッジ１８ｂ〜１８ｄを駆動させず、中間転写ベルト２をＹＭＣのカートリッジ１８ｂ〜１８ｄから離間した状態にして、Ｋのカートリッジ１８ａのみを駆動させて印字を行う。
【００７６】
フルカラー印字モードの場合は、第３または第４の実施の形態と同様に、トナーの残量などによりトナー像の色を決定する。一方、モノクロ印字モードの場合は、トナーの残量に関わらずモノクロ印字モードの状態で、Ｋのトナー像を形成する。
【００７７】
図１３は、第５の実施の形態におけるトナー像の色決定方法を示すフローチャートである。
【００７８】
ステップＳ５０１で印字モードを判定し、フルカラーモードである場合には、第３の実施の形態（または第４の実施の形態）と同様の手法でトナー像の色を決定する（Ｓ５０５）。一方、モノクロモードである場合には、トナー像の色をＫに決定する（Ｓ５０３）。
【００７９】
本実施の形態においては、モノクロ印字モードのときは、フルカラー印字モードの状態に遷移させる時間が省略され、その分の時間なしに中間転写ベルトクリーニングブレードの異物を除去する制御を行なうことができる。
【００８０】
また第５の実施形態において、モノクロ印字モードの場合でも、Ｋのトナー残量が一定量以下の場合は、Ｋのトナー像での制御を実施せずに、フルカラー印字モードに遷移して、第３の実施形態（または第４の実施の形態）と同様の手法で決定された色のトナー像で制御を実施してもよい。
【００８１】
［第６の実施の形態］
第６の実施の形態におけるプリンタの構成は、第１の実施の形態におけるそれと同じであるためここでの説明を繰返さない。
【００８２】
本実施の形態においては、第１の実施の形態と同様に、トナー像を形成し、その像をＩＤＣセンサで読取り、一定濃度以上のときのみ中間転写ベルトクリーニングブレードの異物除去の中間転写ベルト逆転を実施する。このとき、ＩＤＣセンサで読取ったトナー像の濃度が一定濃度以上でない場合は、別の色でトナー像を形成し、リトライする。
【００８３】
図１４は、第６の実施の形態における中間転写ベルトクリーニングブレード異物除去処理（Ｓ１０７）の詳細を示すフローチャートである。
【００８４】
ステップＳ６０１において、トナー像形成色をＹに設定し、ステップＳ６０３においてその色に対応するカートリッジにより、トナー像を中間転写ベルト２上に形成し（Ｓ６０３）、ＩＤＣセンサ１９の位置までトナー像を移動させ（Ｓ６０５）、ＩＤＣセンサ１９でそのトナー像を読取る（Ｓ６０７）。
【００８５】
トナー像のＩＤＣセンサによる読取り値が、基準電圧２．５Ｖ以下であるかを判定する（Ｓ６０９）。ＹＥＳであれば、その色で正常にトナー像が形成できることが確認されるので、その色で中間転写ベルト逆転用のトナー像を新たに中間転写ベルト２に形成し（Ｓ６１５）、その像の後端が中間転写ベルトクリーニングブレード８の位置を通過するのを待つ（Ｓ６１７）。その後、中間転写ベルト２の逆転制御を実施する（Ｓ６１９）。
【００８６】
トナーが十分に供給されていない場合などには、濃度検出位置でもＩＤＣセンサ入力値は基準電圧２．５Ｖを超え、ベルト裸面の４．５Ｖに近い値を検出する。この場合は、中間転写ベルト２に正常にトナーを供給できないため、ステップＳ６０９でＮＯと判断し、現在のトナー像形成色はＫであるかを判定する。ＹＥＳであれば、中間転写ベルトの逆転を実施しない。
【００８７】
ステップＳ６１１でＮＯであれば、現在のトナー像形成色がＹならＭへ、ＭならＣへ、ＣならＫへ変更する（Ｓ６１３）。その後、ステップＳ６０３で変更された色でトナー像を形成する。
【００８８】
［第７の実施の形態］
第７の実施の形態におけるプリンタの構成は、第１の実施の形態におけるそれと同じであるためここでの説明を繰返さない。
【００８９】
本実施の形態においては、第６の実施の形態と同様に、トナー像形成の色を切り換え、一定濃度以上の色のトナー像でクリーニングブレードの異物除去の中間転写ベルト逆転を実施する。
【００９０】
ただし、すべての色に対して適正な濃度が検出できなかった場合は、中間転写ベルトクリーニングブレードの異物除去を、中間転写ベルトクリーニングブレードや中間転写ベルトの捲れなしに実施することはできないため、印字を禁止し、その旨をユーザに通知する。
【００９１】
図１５は、第７の実施の形態における中間転写ベルトクリーニングブレード異物除去処理の詳細を示すフローチャートである。
【００９２】
ステップＳ７０１で、第６の実施の形態における処理を実行し、ステップＳ７０３で中間転写ベルト２の逆転は実施できたかを判定する。ＮＯであればステップＳ７０５で印字を禁止し、ユーザに通知を行なう。
【００９３】
［第８の実施の形態］
第８の実施の形態におけるプリンタの構成は、第１の実施の形態におけるそれと同じであるためここでの説明を繰返さない。
【００９４】
本実施の形態におけるプリンタは、トナーエンプティを検出しても動作が可能である。また、中間転写ベルトクリーニングブレードの異物除去に関しては、図１７に示す従来の手法を実行する。
【００９５】
第８の実施の形態では、トナー像を形成する色についてトナーエンプティを検出していれば別の色を使用する。使用する色の優先順位は、Ｙ，Ｍ，Ｃ，Ｋの順である。そして、すべての色がトナーエンプティであれば、正常な濃度でトナー像が形成されない可能性があり、中間転写ベルトクリーニングブレードの異物除去を、中間転写ベルトクリーニングブレードや中間転写ベルトの捲れなしに実施することができない。その場合には、印字を禁止し、その旨をユーザに通知する。
【００９６】
図１６は、第８の実施の形態における中間転写ベルト逆転時に作成するトナー像の色決定処理を示すフローチャートである。
【００９７】
ステップＳ８０１でＹトナーがエンプティであるかを判定し、ＮＯであればステップＳ８１１でトナー像の色をＹに決定する。
【００９８】
ステップＳ８０１でＹＥＳであれば、ステップＳ８０３でＭトナーがエンプティであるかを判定し、ＮＯであればステップＳ８１３でトナー像の色をＭに決定する。
【００９９】
ステップＳ８０３でＹＥＳであれば、ステップＳ８０５でＣトナーがエンプティであるかを判定し、ＮＯであればステップＳ８１５でトナー像の色をＣに決定する。
【０１００】
ステップＳ８０５でＹＥＳであれば、ステップＳ８０７でＫトナーがエンプティであるかを判定し、ＮＯであればステップＳ８１７でトナー像の色をＫに決定する。
【０１０１】
ステップＳ８０７でＹＥＳであれば、ステップＳ８０９で印字を禁止し、ユーザに通知を行なう。
【０１０２】
［実施の形態における効果］
第１〜第７の実施の形態の構成によると、実際に中間転写ベルトにトナー像が形成されているかどうかを確認し、形成されているときのみ中間転写ベルトの逆転を実施することができる。
【０１０３】
プリンタの低価格化によりコスト削減が進み、様々な機構を多目的に使用することや、ソフト制御への置き換えを行なうことなどにより、部品点数の削減が進められている。そのような中、プリンタで一般的に設けられている濃度センサを、画質の安定化という本来の目的で使用し、さらに別の目的である中間転写ベルト逆転時に形成されるトナー像の確認に使用することができる。これにより、確実にトナー像が形成された状態で中間転写ベルトの逆転を実施することが可能となる。また、トナーエンプティの検出をセンサによるものから画像データのドット数で行うソフト制御へ置き換えることができ、コストダウンが可能となる。
【０１０４】
なお、トナーエンプティの検出は上述のようにプリントを行なったドットの数などに基づいて制御部５１で判定してもよいし、現像部４などにセンサを設けて、それで検出してもよい。
【０１０５】
［その他］
本発明はＭＦＰ、ファクシミリ装置、複写機などの画像形成装置に対して実施することができる。
【０１０６】
また、上述の実施の形態における処理は、ソフトウエアによって行なっても、ハードウエア回路を用いて行なってもよい。
【０１０７】
また、上述の実施の形態における処理を実行するプログラムを提供することもできるし、そのプログラムをＣＤ−ＲＯＭ、フレキシブルディスク、ハードディスク、ＲＯＭ、ＲＡＭ、メモリカードなどの記録媒体に記録してユーザに提供することにしてもよい。また、プログラムはインターネットなどの通信回線を介して、装置にダウンロードするようにしてもよい。
【０１０８】
なお、上記実施の形態は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１０９】
【図１】第１の実施の形態におけるタンデムカラープリンタの中央断面図である。
【図２】中間転写ベルトクリーニングブレード異物除去を実施するか否かの判定処理を示すフローチャートである。
【図３】図２の中間転写ベルトクリーニングブレード異物除去処理（Ｓ１０７）の詳細を示すフローチャートである。
【図４】図３のステップＳ１５１で形成されるトナー像の具体例を示す図である。
【図５】ＩＤＣセンサ１９の出力を示す図である。
【図６】図３のステップＳ１５９で形成されるトナー像の具体例を示す図である。
【図７】Ｙのトナー像の濃度が正常でない場合のＩＤＣセンサのデータ示す図であり、図５に対応する図である。
【図８】第２の実施の形態における中間転写ベルトクリーニングブレード異物除去処理（Ｓ１０７）の詳細を示すフローチャートである。
【図９】第３の実施の形態における中間転写ベルト逆転時に作成するトナー像の色決定処理を示すフローチャートである。
【図１０】第４の実施の形態におけるトナー像を形成するときの色の決定手法を示すフローチャートである。
【図１１】中間転写ベルトクリーニングブレードとカートリッジの位置関係を示す図である。
【図１２】モノクロ印字モードにおけるカートリッジ１８ａ〜１８ｄと中間転写ベルト２との位置関係を示す図である。
【図１３】第５の実施の形態におけるトナー像の色決定方法を示すフローチャートである。
【図１４】第６の実施の形態における中間転写ベルトクリーニングブレード異物除去処理（Ｓ１０７）の詳細を示すフローチャートである。
【図１５】第７の実施の形態における中間転写ベルトクリーニングブレード異物除去処理の詳細を示すフローチャートである。
【図１６】第８の実施の形態における中間転写ベルト逆転時に作成するトナー像の色決定処理を示すフローチャートである。
【図１７】従来のフルカラープリンタの中間転写ベルトクリーニングブレードの異物除去処理を示すフローチャートである。
【符号の説明】
【０１１０】
１  フルカラー画像形成装置、２  中間転写ベルト、３  感光体、４  現像器、５  帯電装置、６  露光装置、７  感光体クリーニングブレード、８  中間転写ベルトクリーニングブレード、１８ａ  カートリッジ（Ｋ）、１８ｂ  カートリッジ（Ｃ）、１８ｃ  カートリッジ（Ｍ）、１８ｄ  カートリッジ（Ｙ）、１９  ＩＤＣセンサ。
【図１】
2008064776.tif 000003
【図２】
2008064776.tif 000004
【図３】
2008064776.tif 000005
【図４】
2008064776.tif 000006
【図５】
2008064776.tif 000007
【図６】
2008064776.tif 000008
【図７】
2008064776.tif 000009
【図８】
2008064776.tif 000010
【図９】
2008064776.tif 000011
【図１０】
2008064776.tif 000012
【図１１】
2008064776.tif 000013
【図１２】
2008064776.tif 000014
【図１３】
2008064776.tif 000015
【図１４】
2008064776.tif 000016
【図１５】
2008064776.tif 000017
【図１６】
2008064776.tif 000018
【図１７】
2008064776.tif 000019